Podtech/llm-jp-corpus-v4-ja_patent huggingface dataset:
(57)【要約】【課題】  医薬や農薬を通常の使用濃度よりもはるかに薄くしてもその薬理効果を維持させる機能を有する水「記憶水」により医薬や農薬を通常の使用濃度よりもはるかに薄くして使用することのできる「記憶水」を製造する方法を提供する。【解決手段】  極相の樹林帯の、生命エネルギーの高い岩盤の間を通過して湧出した水、或いは上記岩盤と同様の効果を有する石やセラミックと接触させることにより記憶力を消去した水に超音波又は電波を掛けることにより「記憶水」を製造する。【特許請求の範囲】
【請求項１】
段戸石と秩父古成層の岩石、及びトルマリンを適宜な大きさの砕石にして水容器に入れ、材料水をその容器の下方から上方に時計回りに旋回させながら循環させて、材料水と砕石とを充分に接触させることにより、水がそれまでに有していた使用目的に適合しない機能の記憶を消去し、次いで、その材料水を小形の容器に入れ、それを水槽に浸けてその水に超音波又は電波を掛けることを特徴とする記憶水の製造法。
【発明の詳細な説明】
【技術分野】
【０００１】  本発明は、医薬や農薬に対してその薬理効果を増幅させる「記憶水」を製造する方法に関するものである。
【背景技術】
【０００２】  人や家畜の病気の治療や予防、農作物の害虫の駆除や防疫に多くの医薬や農薬が用いられており、これが人々の生活を安定させ、経済を発展させる礎ともなっている。また、従来から体力を増強するなどして病気や害虫などに打ち勝ち、医薬や農薬を必要としない体にしようとする啓蒙活動も行われている。
【発明の開示】
【発明が解決しようとする課題】
【０００３】  しかしながら実際には人や農作物には病気が生じたり、害虫に見舞われたりするので、医薬や農薬による病気の治療や害虫などの駆除は欠かすことは出来ないのである。
それぞれの医薬や農薬は所望の薬効を有してはいるが、その使用量（濃度）が高いため、それ自体の副作用もあり、また、残留医薬や残留農薬による弊害も生じている、と云う問題がある。
【課題を解決するための手段】
【０００４】  本発明は、医薬や農薬を通常の使用濃度よりもはるかに薄くしてもその薬理効果を維持させる機能を有する水「記憶水」により医薬や農薬を通常の使用濃度よりもはるかに薄くして使用することのできる「記憶水」を製造する方法を提供することを最も主要な特徴とする。
【発明の効果】
【０００５】  本発明は医薬や農薬を「記憶水」に溶解して用いることにより、医薬や農薬の使用量が著しく減少し、且つ、それによる副作用や残留医薬や残留農薬の影響がなくなり、健康的な生活が得られる、と云う利点がある。
【発明を実施するための最良の形態】
【０００６】  材料とする水は、使用目的に適合しない機能の記憶を有しているものは先ずそれを消去し、次いでそれに超音波又は電波を掛けて新たな機能の記憶を持たせる。
即ち、材料水は極相の樹林帯の、生命エネルギーの高い岩盤の間を通過して湧出したものが好ましい。
通常の水の場合には、上記岩盤と同様の効果を有する石やセラミックと接触させることにより記憶力を消去することが出来る。
尚、この材料水に超音波又は電波を掛けるときは、それらは必ずしも材料水中で発振させる必要はない。
材料水を小形の容器に入れ、それを水槽に浸けてその水に超音波や電波を掛ければ所望の記憶力を有する「記憶水」が得られる。
【実施例１】
【０００７】  上部に排出パイプを有し、下部に給水管が接続された水容器に、段戸石と秩父古成層の岩石、及びトルマリンとからなる砕石を入れ、排出パイプと給水管とを給水ポンプを介して連結して、材料水を水容器を循環させることにより、それを砕石と接触させた。
すると材料水と粒状物とは充分に接触して、材料水はそれまでに有していた（使用目的に適合しない）機能の記憶が消去されて、新たな材料水となった。
尚、給水管を水容器に対して接線方向に向けて接続して、水容器内で材料水が時計回りに旋回させるように構成すると、潜在する機能の記憶が消去される効果が高く、材料水を単に粒状物の間を通過させたものやその水を反時計回りに回転させたものでは記憶は充分には消去されなかった。
次いで、その材料水を小形の容器に入れ、それを水槽に浸けてその水に超音波を掛けたところ所望の記憶力を有する「記憶水」が得られた。
電波を掛けたときも同様に所望の記憶力を有する「記憶水」が得られた。【０００８】  上記の「記憶水」で除草剤を通常の５〜１０倍に薄めて散布したところ、その除草効果は通常のものとほゞ同一であった。
【産業上の利用可能性】
【０００９】  医薬や農薬の使用量の削減とそれに伴う経済的効果、及び薬害を減少する目的に適用できる。
(57)【要約】【課題】  ヨウ素回収において、単に温度を下げただけでは、ヨウ素析出物のヨウ素回収装置の壁面への付着を生じラインが閉塞する。【解決手段】  冷却した水またはヨウ化水素酸で、壁面に薄膜を生じさせ、これに接触するヨウ素蒸気を、水またはヨウ化水素酸中に回収することにより、壁面への付着を防止しつつ連続的にヨウ素を回収する。【選択図】  図１
2005132638.tif 000002
【特許請求の範囲】
【請求項１】
冷却した水またはヨウ化水素酸で、壁面に薄膜を生じさせ、これに接触するヨウ素蒸気を、水またはヨウ化水素酸中に回収することを特徴とするヨウ素蒸気の回収方法。
【発明の詳細な説明】
【技術分野】
【０００１】
本発明は、熱化学水素製造プロセスに関し、より詳しくは、熱化学製造プロセスにおいて使用するヨウ素蒸気の回収方法であって、ヨウ素回収液の薄膜を利用したヨウ素蒸気の回収方法に関する。
【背景技術】
【０００２】
水素は、燃焼しても地球温暖化を招く二酸化炭素を排出しないので、環境に優しい将来エネルギーとして期待されている。近年、水素を製造する方法として、高温の核熱を用いて水を分解し水素を製造する、熱化学水素製造プロセスが開発されている（例えば、非特許文献１参照のこと）。
【０００３】
この熱化学水素製造プロセスは、次の三つの反応から構成されている。
【０００４】
【化１】
2005132638.tif 000003
【０００５】
反応（１）はブンゼン反応として知られており、この反応により二種類の酸（ヨウ化水素酸と硫酸）が生成される。反応（２）、（３）では、反応（１）により生成されたそれぞれの酸が熱分解され、水素及び酸素に加えて、同時に、反応（１）の原料であるヨウ素及び二酸化硫黄が生成される。これらの反応を閉じた系で行うことにより、循環物質であるヨウ素及び二酸化硫黄を消費することなく、水及び熱を供給するだけで：水素と酸素とを得ることができる。ここで、反応（１）のｘは反応以外に多量のヨウ素を必要とすることを表している。この反応（１）の原料である二酸化硫黄は、酸素を伴って反応器へ供給、消費され、酸素だけが反応器から排出される。この時に反応器内のヨウ素蒸気も同時に排出されるが、ヨウ素は循環物質であるため回収する必要がある。一般に、ヨウ素蒸気は、温度を下げて析出させることにより回収することができる。
【非特許文献１】中島隼人ら、外３名，熱化学法ＩＳプロセスの閉サイクル連続水素製造試験，化学工学・論文集，化学工学会，１９９８年，第２４巻，第２号，ｐ．３５２−３５５
【発明の開示】
【発明が解決しようとする課題】
【０００６】
しかしながら、単に温度を下げただけでは、ヨウ素析出物の壁面への付着を生じラインが閉塞する。そこで本発明では、壁面への付着を防止しつつ連続的にヨウ素を回収する方法を課題とする。
【課題を解決するための手段】
【０００７】
本発明は、熱化学水素製造プロセスの循環物質である水またはヨウ化水素酸を冷却して壁面に薄膜を生じさせ、これに接触するヨウ素蒸気を水またはヨウ化水素酸中に回収することを特徴とするヨウ素蒸気の回収方法である。
【０００８】
ヨウ素の吸収溶液としては、ヨウ化カリウム水溶液、アルカリ水溶液、チオ硫酸ナトリウム水溶液等があげられるが、熱化学水素製造プロセスで用いるには、プロセス内の物質が必要であるので、水かヨウ化水素酸が用いられる。
【発明の効果】
【０００９】
本発明の薄膜を利用したヨウ素蒸気の回収方法によれば、ヨウ素の析出によるヨウ素回収塔の配管の閉塞を防ぎ安定的に水素を製造するとこが可能である。
【発明を実施するための最良の形態】
【００１０】
本発明の一実施形態を、図１に基づいて説明する。
本発明のヨウ素蒸気回収方法は、例えばヨウ素回収塔回収液貯槽（６）、循環ポンプ（７）、冷却器（８）により構成される。ヨウ素回収塔は、ヨウ素析出防止ヒーター付のガス入口（１）、酸素ガスの出口（２）、回収液の塔頂液溜（３）、薄膜を形成する薄膜管（４）、塔底液溜（５）を備えている。
【００１１】
ヨウ素蒸気を含んだ酸素ガスは、ヨウ素回収塔のガス入口（１）へ供給され、薄膜管（４）を上昇しながら回収液と向流接触してヨウ素蒸気を失い、上部のガス出口（２）から排気される。一方、回収液は貯槽（６）から循環ポンプ（７）で、冷却器（８）を経由してヨウ素回収塔塔頂液溜（３）へ送られ、溢流して薄膜管壁を覆い、ヨウ素蒸気を吸収して塔底液溜（５）に流れ落ち、貯槽（６）へ戻る。なお、回収液が回収液供給ライン（９）から連続的に供給され、回収液抜き出しライン（１０）から連続的に抜き出されることにより、回収液のヨウ素濃度は一定に保たれる。
【実施例】
【００１２】
ヨウ化水素酸（濃度：２％）を回収液として用いた場合の実施例を図１に基づいて説明する。
１．０８％のヨウ素蒸気を含んだ７０℃の酸素ガスは２５l/hの流量でヨウ素回収塔のガス入口（１）へ供給され、薄膜管（４）を上昇しながら回収液と向流接触してヨウ素蒸気を失い、ガス出口（２）から１００ppm以下のヨウ素蒸気を含んだ１０℃の酸素ガスとして排気される。回収液は供給ライン（９）から６５０ml/hの流量で貯槽（６）へ供給され、循環ポンプ（７）で、１０℃の冷却器（８）を経由して１０  l/minの流量で塔頂液溜（３）に送られ、溢流して薄膜管壁を覆い、ヨウ素蒸気を吸収して塔底液溜（６）へ戻り、抜き出しライン（１０）から０．４７％のヨウ素濃度、６５０ml/hの流量で抜き出される。この場合のヨウ素の回収率は９９％以上である。
【産業上の利用可能性】
【００１３】
本発明の薄膜を利用したヨウ素蒸気の回収方法によれば、排ガス中の特定成分の除去に利用することができる。特に、充填材を用いないため圧力損失がなく、この特徴を生かした食品、化学工業分野への応用が期待される。
【図面の簡単な説明】
【００１４】
【図１】図１は、本発明の薄膜を利用したヨウ素蒸気の回収方法の一例を示す図である。
【符号の説明】
【００１５】
１  ガス入口
２  ガス出口
３  塔頂液溜
４  薄膜管
５  塔底液溜
６  回収液貯槽
７  循環ポンプ
８  冷却器
９  回収液供給ライン
１０  回収液抜き出しライン
【図１】
2005132638.tif 000004
(57)【要約】【課題】本発明の課題は今まで人々の固定概念より、調理関係の食品には不向きであった各種くじ、景品の類を食品容器に同封して提供する方法の開発である。【解決手段】特に調理関係の食品については食品に直接、各種くじや景品が触れては困るという潜在意識よりこれらが使用提供されなかったものを、食品衛生上の課題をクリアーする衛生袋に封入して提供できるように工夫した。【特許請求の範囲】
【請求項１】
乾燥食品、例えばインスタントラーメン、カップラーメン、インスタント味噌汁、インスタント焼きそば等の袋箱容器内に衛生上の規制にそった袋に当りくじ、占くじ、又は小さな景品や説明書き等を封入し提供する事を特徴とする乾燥食品同封型当りくじ、占くじ、景品及びその説明書き等の提供方法
【発明の詳細な説明】
【技術分野】
【０００１】食品業界、特にインスタント食品等の乾燥食品業界の分野に属する
【背景技術】
【０００２】従来、当りくじ、景品等は食品特に菓子類の箱に一体化されたり、別箱に入れられ添付されたりして提供されていた。
【発明の開示】
【発明が解決しようとする課題】
【０００３】Ａ．  従来の当りくじ又は景品の類は包装紙や箱に一体印刷されたり景品等がキャラメル箱と一緒に添付されたり、箱内に入っていた場合もあった。が、それはチョコレート菓子、キャラメル等の昔から変わらぬ業界に特化されていた。
Ｂ．  又、占くじは良くレストラン、ファーストフード店、喫茶店等でコインを入れて引く小型の占くじ機が置かれていて、息の長いヒット商品となっているが、これらが乾燥食品と共に広く付帯的に提供される事はなかった。
Ｃ．  又、特にインスタントラーメン食品の分野では、お湯を使う等多少なりとも調理という概念が伴うためにこれまで敢えて本発明が提供しようとする方法で各種くじ、景品の類を商品と一緒に提供しようという試みがなされなかった。
【課題を解決する手段】
【０００４】上記Ａ．Ｂ．Ｃ．等の課題は、一重に調理する食品と菓子等のスナック的食品の間の食文化からくる固定概念より発生したものであった。従って発明者は、当りくじ、占くじ、景品及びその説明書等を食品衛生上の規定に則った衛生袋に入れ、例えばカップラーメンのカップ内の具やスープの袋と明らかに見分けられる表示形状を施して一緒に入れる事により、衛生上、何ら問題のない楽しみいっぱいの乾燥食品を提供できるようにした。
【発明の効果】
【０００５】Ａ．  本発明によれば、単にメーカーや具材、味付け、値段等で選んでいたインスタント食品等の乾燥食品業界に消費者の選択アイテムの増加に伴った楽しみが増し、その消費意欲を格段に高め経済の活性化につなげる事ができる。
Ｂ．  国際物流の現在、本発明に関る衛生袋入り当りくじ、景品等に各国固有の動物や鳥のカードと説明書き等を封入することにより、多くの子供たちが教養を高めたり文化交流をする事ができる等の付帯的な効果も期待できる。
【発明を実施する為の最良の形態】
【０００６】Ａ．  例えばカップラーメンではカップ内に具材バッグや粉末バッグと共に衛生袋に入れた本発明の当りくじ景品等を封入して、該カップ蓋を開ける楽しみをわくわくしながら持っていただく。
Ｂ．  インスタントラーメンができあがるまで待っている間に本発明に関る占くじ等を読んで待つ事ができるので、２，３分といっても長く感じたがそれを解消できる。
【実施例】
【０００７】図１について見ると、該図はカップラーメンの断面概略図であり、麺２の上に通常の乾燥スープ粒３、乾燥具材薬味４の上に通常袋入りラーメンのスープ袋素材及び製法により製造された袋を本発明では衛生袋５として封入されている。【０００８】又図２についてみると衛生袋５の拡大図の表面に大きく当りくじ袋と内容表示及び食べられませんの表示がしてある。【０００９】図３は図２の側面断面概略図であり、衛生袋５の中に景品７が封入されている。
【産業上の利用可能性】
【００１０】インスタント食品その他乾燥食品の景品、占くじ、景品等
【図面の簡単な説明】
【００１１】
【図１】  カップラーメンでの本発明実施時の断面概略図である。
【図２】  本発明に関る衛生袋入り当りくじの実施正面図である。
【図３】  図２の側面断面概略図である。
【符号の説明】
【００１２】１．  カップラーメンの本体正面断面図
２．  麺
３．  乾燥スープ粒
４．  乾燥具材薬味
５．  衛生袋
６．  内容表示と食べられませんの表示
７．  景品
【図１】
2005132481.tif 000002
【図２】
2005132481.tif 000003
【図３】
2005132481.tif 000004
(57)【要約】【課題】  従来はカゴとヒモとフックは別々だった。  したがって、不便だった。それを、１つにして便利なヒモにフックを付けたカゴを提供する。【解決手段】  フックにヒモを付けこれをカゴの両はしに取り付けた事を特徴とする。【選択図】図  １
2005132496.tif 000002
【特許請求の範囲】
【請求項１】
カゴの両はしにフックの付いたヒモを設けたカゴ。
【発明の詳細な説明】
【技術分野】
【０００１】  この発明はカゴの両はしにフックの付いたヒモを設けた、フックの付いたヒモを設けたカゴに関するものである。
【背景技術】
【０００２】  従来カゴとフックとヒモは別々になっていた。
【発明の開示】
【発明が解決しようとする課題】
【０００３】  これは、次のような問題点があった。
洗たく物を取り込む時に片手で洗たく物を持ちながら、もう片手で洗たく物を洗たくバサミからはずさなければならない不便さがあった。
本発明は以上のような欠点をなくすためになされたものである。
【発明が解決するための手段】
【０００４】  カゴの両はしにフックを付けたヒモを取付ける。
以上の構成によりなるフック付きヒモを付けたカゴである。
【発明の効果】
【０００５】  フック付きヒモがカゴと一体になっているので洗たく物を取り込む時に、洗たく物が干してあるハンガーの両はしにカゴに付いているヒモ付フックをかけて、洗たく物をカゴの中に両手を使って落とす事なく、取り込む事が出来るので便利である。
また、フックを交互させてヒモにかければ持ち運びがらくに出来て便利である。
【発明を実施するための最良の形態】
【０００６】  以下、本発明の実施例について説明する。
カゴ（１）の両端４ヵ所に、ヒモ（２）を通す穴を設ける
カゴ（１）の側面２ヵ所ずつに、ヒモ（２）を通し固定する。
フック（３）にヒモ（２）を通す穴を設ける。
フック（３）の穴にヒモ（２）を通し、一端を固定する。
もう一端は、カゴ（１）に設けた（２）の中央に固定する。
本発明は、以上のような構造で、これを使用する時は、フックとヒモが一体となったカゴで、洗濯物をとりこむといい。
【図面の簡単な説明】
【０００７】
【図１】  本発明の斜視図である。
【図２】  本発明の側面図である。
【符号の説明】
【０００８】  １  カゴ
２  ヒモ
３  フック
４  縫い合わせる
【図１】
2005132496.tif 000003
【図２】
2005132496.tif 000004
(57)【要約】【課題】  キャップを回すことなく簡単にペットボトルのキャップを開け閉め出来、移動しながらでもこぼすことなく内の飲料を飲め、またリサイクル分別を楽に行えるボトルキャップを提供する。【解決手段】  ペットボトルの注ぎ口に羅合する一体型のノズルを設けたペットボトルキャップであることを特長とする。【選択図】    図１
2005132478.tif 000002
【特許請求の範囲】
【請求項１】
ペットボトルの注ぎ口に螺合し、上下に伸縮する吸口を設けたノズルを持ち、ノズルを引き上げることにより吸口が開きボトル内の飲料が吸口より出て、螺合部を回すことによりペットボトルとリサイクル分別を楽にすることを特長とするノズル付きのボトルキャップ。
【請求項２】
ファーストフード店等の飲物の入っているプラスチック容器又は紙コップの蓋部分に上下に伸縮する吸口を設けたノズルを持ち、ノズルを引き上げることにより吸口が開き飲物が吸口より出で、蓋を取り外すことにより容器とリサイクル分別を楽にすることを特長とするノズル付きキャップ。
【発明の詳細な説明】
【発明の詳細な説明】
【技術分野】
【０００１】  この発明は、ペットボトルの注ぎ口に取り付け、ノズルを引き上げることにより吸口よりボトル内の飲物が出て、ペットボトルとリサイクル分別を楽にしたキャップに関するものである。
【背景技術】
【０００２】  従来ボトルキャップは開封時に回しながら開け、ボトル内の飲料を飲み、またキャップをして栓をするものが大半である。  リサイクル分別時にはボトルとキャップは分けられるが、ボトルに付いているリングのキャップを取り除くのに困難なものがある。【０００３】
【特許文献１】  特開２００２−２７４５５２号（ペットボトルのリサイクル分別が楽なキャップ）
【発明が解決しようとする課題】
【０００４】  本発明者は、ボトルキャップを回して開封したり栓をするのではなく、ノズルを引き上げることによりボトル内の飲料を飲むことができ、ノズルを下げることにより栓をすることができて、ペットボトル内の飲料を飲みきれない場合の移動中や携帯時に持ち歩き易くし、またペットボトルの注口に螺合することにより、リサイクル分別時を楽にするものである。
【課題を解決するための手段】
【０００５】  その結果、キャップに上下にスライドするノズルを設けて、ノズルを引き上げることにより注ぎ口が開き中の飲料が出るようにし、ノズルを引き下げることにより注ぎ口が閉まり中の飲料が出てこないようにするものとし、一体型でペットボトルの注ぎ口に螺合することによって回すことによりペットボトルからキャップを楽に取り外すことができるものとする。
【発明を実施するための最良の形態】
【０００６】  本発明に当たり、様々なペットボトルのキャップや洗剤等の容器のキャップを調べてみたところ、中性洗剤のキャップは似たような形状ではあるが中の液体が容器を押さないと勢い良く出てこないが、本発明はノズルを引き上げペットボトルを傾けることにより容器を押すことなく中の飲料を注ぎ口から出すことが出来る。
【発明の効果】
【０００７】  この発明によれば、移動中などにペットボトル内の飲物をノズルを引き上げノズルの注ぎ口から飲むことによりこぼさずに飲むことが出来、またノズルを引き下げることにより簡単に栓をすることが出来る。  リサイクル分別もキャップ部分とペットボトルを楽に分別することが出来る。
【図面の簡単な説明】
【図１】    本発明の断面図である。
【図２】    本発明の使用例を示す斜視図である。
【符号の説明】
１ペットボトル    ２キャップ    ３ノズル    ４注ぎ口
【図１】
2005132478.tif 000003
【図２】
2005132478.tif 000004
(57)【要約】      （修正有）【課題】  飲んだ後のアルミ缶やペットボトルを、その場で手で捻るだけで、きれいな形でコンパクトにする。【解決手段】  アルミ缶やペットボトルの側面部に、斜めに溝・筋を入れる。【選択図】図１
2005132477.tif 000002
【特許請求の範囲】
【請求項１】
缶ビール・ペットボトルなどの容器の側面部に、斜めに溝・筋を付ける事により、その容器の上下を手で反対方向に回すと、小さな力で容器がねじれて、コンパクトになる。
【発明の詳細な説明】
【発明の詳細な説明】
［発明の属する技術分野］
【０００１】  本発明は，飲んだあとの缶ビール等のアルミ缶やペットボトルを、そのまま廃棄するとスペースを広く取り、取り扱いも手間がかかるので、容器の側面部に、斜めに数本の溝・筋を付けた形状とすることによって、人の手で簡単に，又、きれいな形でコンパクトにすることが出来、その形状で廃棄すれば、処理までの手間とスペースが少なくて済む。
［従来の技術］
【０００２】  従来、アルミ缶やペットボトルの容器は美観・容量・耐圧・収納などに重点をおき、設計及び製造されてきたように思われる。そのため、廃棄する時の形状までは考慮されていなかった。
［発明の実施の形態］
【０００３】  本発明は、使用済み容器をコンパクトにして廃棄するために、容器の側面部に斜めに数本の小さな溝・筋を付けることにより、人の手によって容器の上下を反対方向に捻ると、側面中央部より座屈が始まり、小さな力で簡単に捻れて、元の形の四分の一以下の大きさにきれいな形でコンパクトになる。
［発明の効果］
【０００４】  このようにすれば、飲んだ後のアルミ缶やペットボトルを簡単にコンパクトに出来るため、廃棄と処理までの手間とスペースが少なくて済む。
【図面の簡単な説明】
【図１】アルミ缶の正面図である。
【図２】図１の中のアルミ缶Ａ−Ｂの断面図である。
【図３】アルミ缶が捻れてコンパクトになった図である。
【図４】ペットボトルの正面図である。
【図５】図４の中のペットボトルＡ−Ｂの断面図である。
【図６】ペットボトルが捻れてコンパクトになった図である。
【符号の説明】
１  アルミ缶
２  手で加えた力の方向
３  ペットボトル
【図１】
2005132477.tif 000003
【図２】
2005132477.tif 000004
【図３】
2005132477.tif 000005
【図４】
2005132477.tif 000006
【図５】
2005132477.tif 000007
【図６】
2005132477.tif 000008
(57)【要約】      （修正有）【課題】より安価で利用価値の高い、とりわけお年寄りや子供でも給油作業が手軽に出来る給油補助台を開発する。【解決手段】灯油缶から暖房器具等への給油作業を補助する道具あり、給油補助台の回転により、３段階の高さに変化し、楽に給油できるし、安く販売できるのを特徴とする。【選択図】図３
2005132476.tif 000002
【特許請求の範囲】
【請求項１】
給油補助台の回転により、灯油缶の高さを調整し高さによる位置のエネルギーを利用し暖房器具などの燃料タンクへの給油作業を補助する道具である。
【発明の詳細な説明】
【発明の詳細な説明】
【技術分野】
【０００１】この発明は、灯油缶から暖房器具などの燃料タンクへの給油作業を補助する道具である。
【背景技術】
【０００２】従来、灯油缶から暖房器具などの燃料タンクへの給油作業を補助する道具あり、灯油缶を枠の中に入れ上下に移動させて位置のエネルギーを利用したり、枠を回転させることにより、暖房器具などの燃料タンクに給油したり、又ポンプにモーターを取り付け電池のエネルギーで給油したりしていた。
【発明が解決しようとする課題】
【０００３】  そのために、次のような欠点があった。
（イ）、灯油缶を入れる枠を作るのに、材料代や加工代が高価についた。
（ロ）給油のとき枠に、灯油缶を収納や設置するのに大変な労力がいった。又夏の使用しない時枠は場所をとり、大変邪魔になつた。
（ハ）又ポンプにモーターを取り付けた給油器などあるが，この場合は、電池等の貴重な資源を使用し消耗ている。
本発明は、これらの欠点を解決するために、なされたものである。
【課題を解決するための手段】
【０００４】  給油補助台（１）に灯油缶（５）を載せ横に暖房器具などの燃料タンク（６）を用意して、
ホンプ（４）で（５）と（６）をつなぎ必要に応じて給油補助台の回転により灯油缶を上下して給油する。
【発明を実施するための最良の形態】
【０００５】以下、本発明の実施の形態について説明する。
本発明は以上のような構造で灯油缶を上下させる。
「図１」より、給油補助台（１）を、正位置（置いたまま）０度とすると少し高い
「図２」より  給油補助台（１）を、裏返し          １８０度回転    中程度高い
「図３」より  給油補助台（１）を、横向き          ９０度回転      一番高い
「図４」より  給油補助台（１）を、横向き          ９０度回転  前傾し石油を集める
給油補助台を、０度正位置、１８０度裏返し，９０度横向き，と台を回転させ灯油缶の位置を次々と上昇することにより、灯油缶の中の石油の位置を上昇させ、位置のエネルギーを利用したサイホンの原理で暖房器具などの燃料タンク（６）に石油を移し易くしたものである。
【発明の効果】
【０００６】（イ）給油補助台は位置のエネルギーにより、液体は高い所から低い所へ流れる自然の原理を利用した単純な用具だから、確実に給油ができ危険がない。
（ロ）給油補助台は夏の使用しない時でも、灯油缶の下に置けば場所は殆んど、とらないし邪魔にもならない。
（ハ）台の材質はプラスチック等でも、木材でも、セメント等でも、よいので大変安価にできるし資源の節約になる。
【図面の簡単な説明】
【図１】本発明の断面図給油補助台は、０度（置いたまま）  灯油缶は少し高い位置
【図２】本発明の断面図給油補助台は、１８０度回転      灯油缶は２番目に高い位置
【図３】本発明の断面図給油補助台は、９０度回転        灯油缶は１番高い位置
【図４】本発明の横断面図給油補助台は  ９０度回転      灯油缶を少し前傾し、少なくなつた灯油を集めやすくする為に給油補助台の側面に傾斜をつける。
【符号の説明】
（１）給油補助台
（２）受け皿
（３）灯油
（４）ポンプ
（５）灯油缶
（６）暖房器具などの燃料タンク
【図１】
2005132476.tif 000003
【図２】
2005132476.tif 000004
【図３】
2005132476.tif 000005
【図４】
2005132476.tif 000006
(57)【要約】【課題】本発明は、ペットボトルやびん等のラベルを簡単に剥がすためのつまみ（凸凹及びＨ型）をつけたものである。便利に剥がせるラベルつまみを提供する。【解決手段】ラベル（１）のミシン目際につまみ（凸）部分（２）をつける。このつまみ（２）をミシン目にそって引いていくとペットボトルやびん等からラベルを剥がす事が出来る。カット（凹）部分（３）は次のペットボトルラベルのつまみ（凸）部分である。  ペットボトルやびん等ラベルのミシン目（４）の上下間にＨ型（５）の切り込みつまみを入れるとラベルが上下に剥がしやすくなる。【選択図】図１
2005132479.tif 000002
【特許請求の範囲】
【請求項１】
ラベル（１）の上下どちらか一方のミシン目際につまみの凸（２）をつけたら、反対側に凹部分（３）を設けたつまみ付きラベル。
【請求項２】
ラベル（１）の上下ミシン目（４）間に切り込みＨ型（５）を（Ｈ型の切り込みにより上下間にラベルを剥がす事ができる）入れる。
【発明の詳細な説明】
【発明の詳細な説明】
【技術分野】
【０００１】  本発明はペットボトルやびん等のラベルをスムーズに剥がすため、又ミシン目の場所が一目で分かるつまみに関するものである。
【背景技術】
【０００２】  ペットボトルやびんのラベルにミシン目が１本又は２本入っているが、ラベルの上下またはどちらか一方がペットボトルの溝部分（凹）に落ち込んでいたりなどのラベルが剥がしづらい点と、ミシン目の場所がどこにあるのかなどわかりづらい点があげられる。
【発明が解決しようとする課題】
【０００３】  ペットボトルやびんなどのラベルをペットボトル等から剥がす（取り除く）場合、次のような問題点があった。
ペットボトルのラベルを剥がす場合、ミシン目の箇所がペットボトルの窪みに落ち込んでいたりして、剥がしづらく、又ミシン目にそって剥がすと、途中のミシン目よりずれて螺旋状になってしまうものや、またラベルが途中でちぎれてしまうものがあり、この残ったラベル部分はハサミを使用して剥がすなどの手間暇を要した。
本発明は、これらの問題点を解決するためになされたものである。
【課題を解決する手段】
【０００４】  ペットボトルやびん等ラベル（１）のミシン目（４）際のつまみ（凸）部分（２）を、ミシン目にそって切り離していくとペットボトルからラベル（１）を剥がす事が出来る。カット部分の凹（３）は次のペットボトルラベル（１）の凸部分のラベルのつまみ部分となる。又、このつまみはミシン目（４）上下間にＨ形（５）の切り込みをつけると（つまみは２個となる）剥がしやすい。本発明は、以上の構成よりなりペットボトルやびん等のラベルが剥がせるつまみである。
【発明を実施するための最良の形態】
【０００５】  以下、本発明の実施の形態を説明する。
（イ）ペットボトルやびん等のラベル（１）の上部（又は、下部）のミシン目（４）近くにつまみの凸部分（２）をつける。
（ロ）ペットボトルのラベル（１）の下部（又は、上部）のミシン目（４）近くにカット凹部分（３）をつける。
このカット凹部分（３）は次のラベルのつまみ凸部分（２）になる。
（ハ）ラベルのミシン目（４）上下間につまみＨ形の切り込み（５）を入れた場合つまみは上下２個となり、これらの２個のつまみをミシン目（４）上下に剥がすとラベルがペットボトルやびんから離れる。本発明は以上の構成よりなる。
本発明を使用する場合は、ラベルのつまみをミシン目にそって引く事により、ペットボトルやびん等よりラベルが外せる。
【発明の効果】
【０００６】  本発明を使用する毎につまみを引きながらラベルを剥がす事が出来るのでハサミなどの用具を使用せずに、剥がすことが出来る。本発明は従来の欠点を、このつまみをつける事により解決される。
【図面の簡単な説明】
【図１】  本発明の要部拡大の正面図
【図２】  本発明の要部拡大の正面図
【符号の説明】
（１）ラベル、（２）つまみ（凸）部分、（３）カット（凹）部分、（４）ミシン目、（５）Ｈ型の切り込みつまみ
【図１】
2005132479.tif 000003
【図２】
2005132479.tif 000004
(57)【要約】【課題】  内側に折りたためる直方体状の収納箱を提供する。【解決手段】（イ）側部に、側壁１、側壁２、側壁３、側壁４を設ける。（ロ）底部の１つの対角線部にファスナー４１を設けた柔軟性のある生地でできた底壁５，６を設ける。（ハ）上部に開口部を設ける。（ニ）側壁１と側壁２の境部に山折り部１２を設ける。（ホ）側壁２と側壁３の境部に山折り部１３を設ける。（ヘ）側壁３と側壁４の境部に山折り部１４を設ける。（ト）側壁４と側壁１の境部に山折り部１１を設ける。（チ）側壁１の中間部に谷折り部２１を縦に設ける。（リ）側壁３の中間部に谷折り部２２を縦に設ける。（ヌ）側壁４と側壁２の外側に取っ手３１、３２をそれぞれ設ける。【選択図】  図４
2005132480.tif 000002
【特許請求の範囲】
【請求項１】
（イ）側部に、側壁１、側壁２、側壁３、側壁４を設ける。（ロ）底部の１つの対角線部にファスナー４１を設けた柔軟性のある生地でできた底壁５，６を設ける。（ハ）上部に開口部を設ける。（ニ）側壁１と側壁２の境部に山折り部１２を設ける。（ホ）側壁２と側壁３の境部に山折り部１３を設ける。（ヘ）側壁３と側壁４の境部に山折り部１４を設ける。（ト）側壁４と側壁１の境部に山折り部１１を設ける。（チ）側壁１の中間部に谷折り部２１を縦に設ける。（リ）側壁３の中間部に谷折り部２２を縦に設ける。（ヌ）側壁４と側壁２の外側に取っ手３１、３２をそれぞれ設ける。  以上の構成より成る内側に折りたためる直方体状の収納箱。
【発明の詳細な説明】
【技術分野】
【０００１】この発明は、内側に折りたためる直方体状の収納箱に関するものである。
【背景技術】
【０００２】  従来の折りたためる収納箱には、図１で示すような段ボール箱でできたものがある。
【発明の開示】
【発明が解決しようとする課題】
【０００３】  この従来の折りたためる段ボールの収納箱には、次のような欠点があった  図２で示すように、未使用時に折りたたんで押入れなどに保管するが、左右の長さが長くなり、かつ、上蓋と底蓋が外側に出るので上下の長さも長くなり、厚みは薄くなるものの、保管に場所をとり不便であった  本発明は、以上の欠点を解決するために成されたものである。
【課題を解決するための手段】
【０００４】（イ）側部に、側壁１、側壁２、側壁３、側壁４を設ける。（ロ）底部の１つの対角線部にファスナー４１を設けた柔軟性のある生地でできた底壁５，６を設ける。（ハ）上部に開口部を設ける。（ニ）側壁１と側壁２の境部に山折り部１２を設ける。（ホ）側壁２と側壁３の境部に山折り部１３を設ける。（ヘ）側壁３と側壁４の境部に山折り部１４を設ける。（ト）側壁４と側壁１の境部に山折り部１１を設ける。（チ）側壁１の中間部に谷折り部２１を縦に設ける。（リ）側壁３の中間部に谷折り部２２を縦に設ける。（ヌ）側壁４と側壁２の外側に取っ手３１、３２をそれぞれ設ける。  本発明は、以上の構成より成る内側に折りたためる直方体状の収納箱である。
【発明の効果】
【０００５】  本発明を使用することによって、次のような効果を生む。（イ）未使用時に折りたたんで押入れなどに保管しても、左右の長さが側壁と同じか短くなり、かつ、上蓋は別に保管でき、底蓋が柔軟性のある生地のため収納箱の内側に保管できるので、場所をとらず便利である。（ロ）未使用時に折りたたんで保管しても場所をとらず便利であるということは、本発明品を製造して倉庫に保管する場合も場所をとらず多く保管でき、運搬する場合も１度に多くの本発明品を運搬でき、販売時にも店頭の場所をとらず、コストを大幅に削減できる。
【発明を実施するための最良の形態】
【０００６】  以下、本発明を実施するための最良の形態を、
【図３】
と
【図４】
に基づいて説明する。  側壁１、側壁２、側壁３、側壁４は、板を内蔵した布、厚紙、プラスチックなどで造られている。
【０００７】  底部は、１つの対角線部にファスナー４１を設け、ファスナー４１により２分される底壁５，６は、布やシートなどの折りたたむことができる柔軟性のある生地でできた材質で造られている。  なお、ファスナー４１を閉めた後、厚紙、板、プラスチック製の下敷を内側に乗せて敷くと強度が増す。
【０００８】  上部は、本発明の収納箱に、被収納物が収納しやすいように開口部にする。  なお、収納後、開口部に蓋をするために、専用の蓋を用意してもよい。
【０００９】  側壁の山折り部１１，１２，１３，１４や谷折り部２１，２２の材質は、布では弾力性があって問題ないが、厚紙の場合は折り曲げても磨耗しにくいように段ボールの折り曲げ部のような処理を施し、プラスチックの場合は折り曲げに強いポリプロピレンなどを使用する。  側壁に設ける取っ手３１，３２は、薄くて柔軟性のある生地を使用する。
【使用例】
【００１０】  本発明を使用するときは、
【図５】
で示すように、折りたたんであった本発明を、取っ手３１，３２を左右に引いて、完全に引き終わったら、ファスナー４１を閉めて、図３のように収納箱を完成させる。その後、下敷を内側に乗せて敷いて強度を増すようにしてもよい。専用の蓋がある場合は、蓋を用いてもよい。
【００１１】  本発明を折りたたむときは、
【図５】
で示すように、蓋がある場合は蓋を取り、下敷が敷いてある場合は下敷を取り出す。そして、ファスナー４１を開けてから、谷折り部２１，２２を曲げる。  次に、取っ手３１，３２を中央に近づけるようにしていくと、谷折り部２１と谷折り部２２が中央で近づくようになるが、このとき、谷折り部２１をファスナーの始点（あるいは終点）方向にずらし、谷折り部２２をファスナーの終点（あるいは始点）方向にずらす。こうすると、底壁５，６が邪魔にならずに折りたたむことができる。
【図面の簡単な説明】
【００２０】
【図１】は、従来の折りたためる段ボールによる収納箱の斜視図である。
【図２】は、「図１」の収納箱を折りたたんだ状態を示す側面図である。
【図３】は、本発明の斜視図である。
【図４】は、「図３」の収納箱の上面図で、ファスナーが閉まっている状態を示す。
【図５】は、ファスナーを開き、取っ手３１，３２を中央に近づけて「図３」の収納箱を折りたたんでいる状態を示す上面図、あるいは、折りたたんであった本発明を、取っ手３１，３２を左右に引いて、収納箱を完成させようとしている上面図である。
【符号の説明】
【００３０】１，２，３，４  側壁１１，１２，１３，１４  山折り部２１，２２  谷折り部３１，３２  取っ手４１  ファスナー  ４２  ファスナーの柄５０，５１  側壁５２，５３，５４  上蓋５５，５６  下蓋
【図１】
2005132480.tif 000003
【図２】
2005132480.tif 000004
【図３】
2005132480.tif 000005
【図４】
2005132480.tif 000006
【図５】
2005132480.tif 000007
(57)【要約】【課題】  電子部品を包装されたエンボスキャリアテープからカバーテープを剥離し電子部品を実装する際に、電子部品の飛び出しや電子部品の向きが変わり、正常に実装できないといったトラブルが発生する。それらのトラブルを防止することができる電子部品包装用カバーテープを提供する。【解決手段】  挿入される電子部品のカバーテープ側から見た投影平面積よりも小さな面積の開口部を有することを特徴とする電子部品包装用カバーテープ。【特許請求の範囲】
【請求項１】
挿入される電子部品のカバーテープ側から見た投影平面積よりも小さな面積の開口部を有することを特徴とする電子部品包装用カバーテープ。
【発明の詳細な説明】
【技術分野】
【０００１】
本発明は電子部品包装用カバーテープに関する。
【背景技術】
【０００２】
近年、メモリー、ロジック等のＩＣやトランジスター、ダイオード、コンデンサーなどの表面実装用チップ型電子部品は、電子部品の形状に合わせて、収納しうるエンボス成形されたポケットを連続的に形成したエンボスキャリアテープと該キャリアテープにシールしうるカバーテープとからなる包装体に包装されて供給される。内容物の電子部品は該包装体のカバーテープを剥離した後、自動的に取り出され電子回路基板に表面実装される。
カバーテープを剥離する際の問題として、内容物の電子部品が飛び出したり、向きが変わったりする場合があり、電子部品を正常に実装できないことがある。さらに、近年、電子部品の小型化、実装速度の向上によりその現象は増加傾向にある。内容物の電子部品が飛び出したり、向きが変わったりする原因の一つとして、カバーテープを剥離する時の剥離帯電があげられる。この剥離帯電を軽減するため、カバーテープに金属酸化物や界面活性剤などを導入し、帯電防止性能を付与する手法がとられている。（特許文献１参照）。
【特許文献１】特開２００３−２４６３５８公報
【発明の開示】
【発明が解決しようとする課題】
【０００３】
本発明は、前述のトラブルを防止すべく、挿入される電子部品よりも小さな開口部を有する電子部品包装用カバーテープを提供することにある。
【課題を解決するための手段】
【０００４】
本発明は、挿入される電子部品のカバーテープ側から見た投影平面積よりも小さな面積の開口部を有することを特徴とする電子部品包装用カバーテープ、である。
【発明の効果】
【０００５】
本発明の方法に従うと、エンボスキャリアテープに挿入された電子部品をカバーテープを剥いで取り出す際、電子部品が飛び出したり、向きが変わったりするトラブルが発生しにくく、カバーテープとして好適である。
【発明を実施するための最良の形態】
【０００６】
本発明におけるカバーテープは、挿入される電子部品のカバーテープ側から見た投影平面積よりも小さな面積の開口部を有していれば特に制限するものではない。カバーテープ側から見た投影平面積とは、カバーテープ側から、挿入された電子部品を見た時の電子部品の平面の面積（四角形の時は、縦の長さ×横の長さ）を言う。カバーテープに施される開口部の面積の大きさは、電子部品が開口部から飛び出したりせず、正常に表面実装されることが必要であり、挿入される電子部品のカバーテープ側から見た投影平面積よりも小さな面積の開口部を有していることが好ましく、その範囲で、カバーテープの開口部の形状、数、配置などは電子部品の形状、大きさなどを考慮して設けることができる。
本発明におけるカバーテープの一例を図１で説明する。外層として２軸延伸ポリエステルフィルム、中間層としてポリエチレン、シーラント層としてアクリル樹脂を積層した多層フィルムである。エンボスキャリアテープに挿入される電子部品は縦３．２ｍｍ×横１．６ｍｍ×高さ１．３ｍｍの大きさであるのに対し、カバーテープには１．０ｍｍ角の開口部が連続的に施されている。
【０００７】
カバーテープに使用するフィルムは特に制限しないが、剛性、耐熱性などの点で２軸延伸ポリエステルフィルムが好適に用いられる。中間層はあってもなくてもかまわないが、カバーテープの耐切れ性、シール時のクッション性等の点でポリエチレンフィルムが好適に用いられる。シーラント層は特に制限しないが、取り扱い性、易開封性等の点からアクリル樹脂が好適に用いられる。また、キャリアテープの蓋材として機能すれば外層、中間層、シーラント層以外の層を設けてもかまわない。
【実施例】
【０００８】
本発明の実施例を以下に示すが、これらの実施例によって本発明は何ら限定されるものではない。
《実施例１》
外層として厚み５０μｍの二軸延伸ポリエステルフィルムを用い、その片面にシーラント層として１μｍの酢酸ビニル樹脂を塗布した。得られたフィルムに０．９ｍｍ角の開口部をもうけ、カバーテープを作製した。得られたカバーテープを、縦２．０ｍｍ、横１．０ｍｍ、高さ１．０ｍｍの電子部品を挿入したポリスチレン製エンボスキャリアテープに熱シールした。剥離速度５ｍ／ｍｉｎでカバーテープを剥離したが、電子部品の飛び出しや向きが変わることなく、正常に基板上へ実装できた。
【０００９】
《実施例２》
外層として厚み２５μｍの２軸延伸ポリエステルフィルムを用い、ウレタン接着剤１μｍを介して、２５μｍのポリエチレンフィルムを貼り合せ、ポリエチレン側にシーラント層として１μｍの酢酸ビニル樹脂を塗布した。得られたフィルムに１．３ｍｍ角の開口部をもうけ、カバーテープを作製した。得られたカバーテープを、縦２．０ｍｍ、横１．５ｍｍ、高さ１．５ｍｍの電子部品を挿入したポリスチレン製エンボスキャリアテープに熱シールした。剥離速度５ｍ／ｍｉｎでカバーテープを剥離したが、電子部品の飛び出しや向きが変わることなく、正常に基板上へ実装できた。
【００１０】
《比較例１》
外層として厚み５０μｍの二軸延伸ポリエステルフィルムを用い、その片面にシーラント層として１μｍの酢酸ビニル樹脂を塗布し、カバーテープを作製した。得られたカバーテープには開口部を設けず、縦２．０ｍｍ、横１．０ｍｍ、高さ１．０ｍｍの電子部品を挿入したポリスチレン製エンボスキャリアテープに熱シールした。剥離速度５ｍ／ｃｍでカバーテープを剥離したが、電子部品の飛び出しが発生し、正常に基板上へ実装できなかった。
【産業上の利用可能性】
【００１１】
本発明により、カバーテープとキャリアテープを剥離する際の剥離帯電が小さいカバーテープを提供することができ、従来の問題点であった剥離時の電子部品の飛び出しや、向きが変わるトラブルを解決することができる。
【図面の簡単な説明】
【００１２】
【図１】カバーテープ構成と開口部の一例図である。
【符号の説明】
【００１３】
１  外層
２  中間層
３  シーラント層
４  開口部
【図１】
2005132421.tif 000002
(57)【要約】【課題】  本発明は、長期使用に耐えられるような水性粘着剤の開発を課題とする。【解決手段】  被接着物に水性粘着剤を塗布した後、水性ウレタン樹脂剤を主成分とする水性粘着剤上部に水性粘着剤用効果延長剤を塗布することで解決することができる。【選択図】  なし【特許請求の範囲】
【請求項１】
水性ウレタン樹脂剤を主成分とする水性粘着剤用効果延長剤。
【請求項２】
被接着物に水性粘着剤を塗布した後、水性粘着剤上部に請求項１記載の水性粘着剤用効果延長剤を塗布することを特徴とする水性粘着剤の効果を延長する方法。
【発明の詳細な説明】
【技術分野】
【０００１】
本発明は、水性粘着剤用効果延長剤に関するものである。
【背景技術】
【０００２】
従来各種の粘着剤が開発されてきている。例えば、特開2000−96032号公報(特許文献１)には、ビスベンゾトリアゾリルフェノール化合物を含有する粘着剤組成物が開示されている。しかし、これは建造物や自動車等の窓ガラス等の表面を保護するために樹脂フィルムを貼着するものである。
【０００３】
また、特開平10−219221号公報(特許文献２)には、水性感圧性粘着剤組成物が開示されているが、これはプラスチック、金属、ガラス、陶磁器、紙、布、木材、生鮮食料品等に接着させるものである。
【０００４】
特開平9−316417号公報(特許文献３)には、アクリル系粘着剤組成物が開示されているが、ステンレス鋼板や塩化ビニル樹脂板を対象としている。
さらに、特開平10−291927号公報(特許文献４)には、局所麻酔効果を有する化合物と粘着性樹脂及び／又は高分子を含有する皮膚用粘着剤が開示されている。
【０００５】
本願出願人も「水性粘着剤」を出願し、特開2002−317164号公報(特許文献５)として公開されている。
しかしながら、上記何れの粘着剤でも長期に接着していると粘着剤のベタツキ及び展着力が低下するため、長期の使用に耐えられなかった。
【０００６】
【特許文献１】特開2000−96032号公報
【特許文献２】特開平10−219221号公報
【特許文献３】特開平9−316417号公報
【特許文献４】特開平10−291927号公報
【特許文献５】特開2002−317164号公報
【発明の開示】
【発明が解決しようとする課題】
【０００７】
本発明は、長期使用に耐えられるような水性粘着剤の開発を課題とする。
【課題を解決するための手段】
【０００８】
本発明者等は、上記課題を解決するために鋭意努力した結果、水性ウレタン樹脂剤を塗布することで解決できることを見出した。
【０００９】
すなわち、本発明は
(１)  水性ウレタン樹脂剤を主成分とする水性粘着剤用効果延長剤、
(２)  被接着物に水性粘着剤を塗布した後、水性粘着剤上部に(１)記載の水性粘着剤用効果延長剤を塗布することを特徴とする水性粘着剤の効果を延長する方法
に関する。
【００１０】
壁にポスターや紙等を貼る場合、通常の粘着剤を使用すると室内の湿気等により数日間で粘着部分の紙がしわになったりはがれ易くなったりする。これは、水性粘着剤が周りの水分を吸収し粘着力の低下及び成分が膨潤したことに起因する。
また、ゴムやプラスチック類も同様に水性粘着剤が水分を吸収し展着力が低下し剥がれ易くなる。
【００１１】
本出願人は、この水分吸収を阻止することで展着力低下を防げないかとの観点から、水性粘着剤の上に撥水効果を有する物質をコートすることを発想し本発明を完成した。
【００１２】
本発明における水性粘着剤とは、アクリルと酢酸ビニル樹脂との共重合エマルジョンを主成分とする水性粘着剤ばかりでなく、前記の各公報、例えばに特開2000−96032号公報
、特開平10−219221号公報、特開平9−316417号公報に記載されたような接着剤も含まれる。
【００１３】
本発明における水性粘着剤用効果延長剤は、水性ウレタン樹脂(例えば、ウレタン樹脂エマルジョンとウレタン樹脂プライマー、あるいはウレタン樹脂エマルジョンとウレタン樹脂エラストマー)を１．０〜５．０％含み、その他として防腐剤０．１〜０．５％、精製水９８．９〜９４．５％からなっている。
【００１４】
本発明においては、単に周りの水分を吸収するのを抑えるのみならず、雨等で上から水がかかった場合でもウレタン樹脂の撥水性効果が発揮され、水分の吸収が抑えられ粘着効果を延長することができる。
【発明の効果】
【００１５】
本発明により、水性粘着剤のベタツキや展着力の低下を防ぎ長期間に渡り剥離を防止することができる。
【発明を実施するための最良の形態】
【００１６】
本発明を実施するには、まず製品の接着付近に水性粘着剤を塗布し、乾燥後水性粘着剤用効果延長剤を粘着剤上部に軽く塗り、乾燥させた後その上に展着させようとする製品を接着させる。
【００１７】
水性粘着剤用効果延長剤を粘着剤上部に軽く塗る方法としては、水性粘着剤用効果延長剤のキャップに刷毛をつけたものあるいはマニキュア用具も使うことができる。
【実施例】
【００１８】
ウレタン樹脂エマルジョンとウレタン樹脂プライマーからなるものを使用した水性ウレタン樹脂３％、精製水９７％の水性粘着剤用効果延長剤を、水性粘着剤(アクリルと酢酸ビニル樹脂との共重合エマルジョンを主成分とする水性粘着剤)を塗布し乾燥したところに、水性粘着剤用効果延長剤のキャップについた刷毛で軽く上塗りし、乾燥させた後その上に展着させる製品を接着して、対照品と剥離抑制効果について観察した。
【００１９】
対照品としては、水性粘着剤(アクリルと酢酸ビニル樹脂との共重合エマルジョンを主成分とする水性粘着剤)のみを塗布した。
その結果、対照品は１３日間経過後は剥離始めたが、本発明品は３３日経過まではなんら接着効果が低下せず、やっと３７日目に剥離の状態を呈し始めた。